(57)【要約】【課題】固定作業が無くて着用作業にも手間がかからず、着用時の快適性が向上して、横向きに寝た状態での腰脇部分からの横漏れを広範囲で確実に防止できる使い捨ておむつカバーを提供する。【解決手段】前腹部と後背部との間の股部に、別体の股用吸収体を交換可能に保持する保持部材が配置されて、前腹部を股部とほぼ同幅にするとともに、後背部の両側を広幅にして両側部とし、この広幅の両側部を前腹部に廻し込んで、両側部の側縁と前腹部の側縁とが接合され、股部の両側に脚穴部が形成されるとともに、上記前腹部と後背部とに跨る左右の腰脇部分以外の部分で前腹部と後背部とが接合されてなり、上記腰脇部分に、腰脇用吸収体がそれぞれ固定配置されている使い捨ておむつカバー。【選択図】図１７
2008086822.tif 000002
【特許請求の範囲】
【請求項１】
前腹部と後背部との間の股部に、別体の股用吸収体を交換可能に保持する保持部材が配置されて、
前腹部を股部とほぼ同幅にするとともに、後背部の両側を広幅にして両側部とし、
この広幅の両側部を前腹部に廻し込んで、両側部の側縁と前腹部の側縁とが接合され、股部の両側に脚穴部が形成されるとともに、上記前腹部と後背部とに跨る左右の腰脇部分以外の部分で前腹部と後背部とが接合されてなり、
上記腰脇部分に、腰脇用吸収体がそれぞれ固定配置されていることを特徴とする使い捨ておむつカバー。
【請求項２】
別体の股用吸収体を交換可能に保持する保持部材が配置された股部の左右に、前腹部と後背部のそれぞれが左半分と右半分とで形成されるとともに、この各半分の前腹部と後背部とに跨って脚穴部がそれぞれ形成されて、左右の前腹部の前端同士と左右の後背部の後端同士とが接合されてなり、上記前腹部と後背部とに跨る左右の腰脇部分に、腰脇用吸収体がそれぞれ固定配置されていることを特徴とする使い捨ておむつカバー。
【請求項３】
上記保持部材は、股部の左右位置に設けられた立ち上がりフラップである請求項１または２に記載の使い捨ておむつカバー。
【請求項４】
上記前腹部と後背部の上側にウエスト用弾性糸が添設され、その下側にボディフィット用弾性糸が添設され、上記脚穴部にレッグ用弾性糸が添設されている請求項１〜３のいずれか１項に記載の使い捨ておむつカバー。
【請求項５】
上記腰脇用吸収体が固定配置された部位のボディフィット用弾性糸の収縮力が小さく設定されている請求項４に記載の使い捨ておむつカバー。
【請求項６】
上記腰脇用吸収体の前後部は、左右の脚穴部に沿うよう略Ｃ字形状に形成されている請求項１〜５のいずれか１項に記載の使い捨ておむつカバー。
【請求項７】
上記立ち上がりフラップは、脚穴部に沿う円弧状に形成されている請求項３〜６のいずれか１項に記載の使い捨ておむつカバー。
【請求項８】
上記立ち上がりフラップは、左右の前腹部の前端と後背部の後端に亘っている請求項３〜６のいずれか１項に記載の使い捨ておむつカバー。
【請求項９】
上記股部に前後方向の股用弾性糸が添設されている請求項１〜８のいずれか１項に記載の使い捨ておむつカバー。
【請求項１０】
上記股用弾性糸の前後端は、前腹部の前端と後背部の後端に亘って添設されている請求項９に記載の使い捨ておむつカバー。
【請求項１１】
上記脚穴部は、前後方向の略楕円形状抜き穴に形成され、この脚穴部の周囲にほぼ沿って上記レッグ用弾性糸が添設されている請求項１〜１０のいずれか１項に記載の使い捨ておむつカバー。
【請求項１２】
上記脚穴部は、前後方向のスリットに形成され、このスリットの左右にほぼ沿って、前腹部の前端と後背部の後端に亘って上記レッグ用弾性糸が添設されている請求項１〜１０のいずれか１項に記載の使い捨ておむつカバー。
【請求項１３】
上記股部と前腹部と後背部とは、外面側シートと肌面側シートとを接着して構成され、上記腰脇用吸収体は、外面側シートと肌面側シートとの間に挟着固定されている請求項１〜１２のいずれか１項に記載の使い捨ておむつカバー。
【請求項１４】
上記股部と前腹部と後背部とは、外面側シートと肌面側シートとを接着して構成され、上記腰脇用吸収体は、肌面側シートの上に接着固定されている請求項１〜１２のいずれか１項に記載の使い捨ておむつカバー。
【発明の詳細な説明】
【技術分野】
【０００１】
本発明は、横向きに寝た状態での腰脇部分からの横漏れを広範囲で確実に防止できる使い捨ておむつカバーに関する。
【背景技術】
【０００２】
従来、使い捨ておむつと併用する使い捨て補助吸収具として、使い捨ておむつの前腹部または後背部の左右のサイドフラップに別体の補助吸収具をそれぞれ面ファスナーで着脱自在に固定するものがある（例えば、特許文献１参照）。
【０００３】
また、使い捨ておむつと共に着用される使い捨て補助吸収具として、中央縦割りの半パンツ状物がある（例えば、特許文献２参照）。
【０００４】
さらに、使い捨てアンダーガーメントとして、股用吸収体が配置された股部の左右に、前腹部と後背部の左半分と右半分がそれぞれ形成されて、左右の前腹部の前端同士と後背部の後端同士とが接合されるとともに、この各半分の前腹部と後背部とに跨ってスリット状の脚穴部がそれぞれ形成されたものがある（例えば、特許文献３参照）。
【特許文献１】特開２００１−３５３１８０号公報
【特許文献２】特開２００１−３４０３７０号公報
【特許文献３】特開２００２−２４２００１号公報
【発明の開示】
【発明が解決しようとする課題】
【０００５】
しかしながら、特許文献１では、展開可能な使い捨ておむつを対象としており、使い捨ておむつを展開状態として、前腹部または後背部の左右のサイドフラップに別体の補助吸収具をそれぞれ正規の位置に固定する必要があるから、着用者や介護者にとって固定作業に手間がかかるという問題がある。
【０００６】
また、ファスニングテープ等で使い捨ておむつを組み立てて着用するから（開閉式テープ型）、着用時の快適性に欠けるという問題がある。
【０００７】
さらに、前腹部または後背部の左右のサイドフラップに補助吸収具を固定するだけであるから、着用者の寝返り等の動作により外れて、漏れにつながりやすいという問題がある。
【０００８】
特許文献２では、中央縦割りの半パンツ状物である使い捨て補助吸収具を着用した上に使い捨ておむつを重ねて着用する必要があるから、着用者や介護者にとって着用作業に手間がかかるという問題がある。
【０００９】
また、補助吸収具と使い捨ておむつを２重に着用するから、着用時の快適性に欠けるという問題がある。
【００１０】
さらに、補助吸収具は、着用者の左右のいずれか片方しかカバーできないので、例えば左側が下向きとなっている状態から、右側が下向きとなるように着用者が寝返ったような場合には、腰脇部分からの横漏れを広範囲で確実に防止できないという問題がある。
【００１１】
特許文献３では、弾性伸縮性を有する生地で形成され、股部の左右に形成した前腹部と後背部の左半分と右半分とを、前端同士と後端同士とを接合してなる使い捨てアンダーガーメントが開示されているが、各半分の前腹部と後背部とに跨ってスリット状の脚穴部を形成する構成とすることで、半円状の脚穴部を形成することによる生地の無駄を省くようにしたものであり、横向きに寝た状態での腰脇部分からの横漏れを広範囲で確実に防止できるものではない。
【００１２】
本発明は、上記問題を解消するためになされたもので、従来の補助吸収具のような固定作業が無くて着用作業にも手間がかからず、着用時の快適性が向上して、横向きに寝た状態での腰脇部分からの横漏れを広範囲で確実に防止できる使い捨ておむつカバーを提供することを課題とするものである。
【課題を解決するための手段】
【００１３】
上記課題を解決するために、本発明の請求項１は、前腹部と後背部との間の股部に、別体の股用吸収体を交換可能に保持する保持部材が配置されて、この股部の両側に脚穴部が形成されるとともに、上記前腹部と後背部とに跨る左右の腰脇部分以外の部分で前腹部と後背部とが接合されてなり、上記腰脇部分に、腰脇用吸収体がそれぞれ固定配置されていることを特徴とする使い捨ておむつカバーを提供するものである。
【００１４】
本発明の請求項２は、別体の股用吸収体を交換可能に保持する保持部材が配置された股部の左右に、前腹部と後背部のそれぞれが左半分と右半分とで形成されるとともに、この各半分の前腹部と後背部とに跨って脚穴部がそれぞれ形成されて、左右の前腹部の前端同士と左右の後背部の後端同士とが接合されてなり、上記前腹部と後背部とに跨る左右の腰脇部分に、腰脇用吸収体がそれぞれ固定配置されていることを特徴とする使い捨ておむつカバーを提供するものである。
【００１５】
上記保持部材は、股部の左右位置に設けられた立ち上がりフラップである構成が好ましい（請求項３）。
【００１６】
上記前腹部と後背部の上側にウエスト用弾性糸が添設され、その下側にボディフィット用弾性糸が添設され、上記脚穴部にレッグ用弾性糸が添設されている構成が好ましい（請求項４）。
【００１７】
上記腰脇用吸収体が固定配置された部位のボディフィット用弾性糸の収縮力が小さく設定されている構成が好ましい（請求項５）。
【００１８】
上記腰脇用吸収体の前後部は、左右の脚穴部に沿うよう略Ｃ字形状に形成されている構成が好ましい（請求項６）。
【００１９】
上記立ち上がりフラップは、脚穴部に沿う円弧状に形成されている構成とすることができる（請求項７）。
【００２０】
上記立ち上がりフラップは、左右の前腹部の前端と後背部の後端に亘っている構成とすることができる（請求項８）。
【００２１】
上記股部に前後方向の股用弾性糸が添設されている構成とすることができる（請求項９）。
【００２２】
上記股用弾性糸の前後端は、前腹部の前端と後背部の後端に亘って添設されている構成とすることができる（請求項１０）。
【００２３】
上記脚穴部は、前後方向の略楕円形状抜き穴に形成され、この脚穴部の周囲にほぼ沿って上記レッグ用弾性糸が添設されている構成とすることができる（請求項１１）。
【００２４】
上記脚穴部は、前後方向のスリットに形成され、このスリットの左右にほぼ沿って、前腹部の前端と後背部の後端に亘って上記レッグ用弾性糸が添設されている構成とすることができる（請求項１２）。
【００２５】
上記股部と前腹部と後背部とは、外面側シートと肌面側シートとを接着して構成され、上記腰脇用吸収体は、外面側シートと肌面側シートとの間に挟着固定されている構成とすることができる（請求項１３）。
【００２６】
上記股部と前腹部と後背部とは、外面側シートと肌面側シートとを接着して構成され、上記腰脇用吸収体は、肌面側シートの上に接着固定されている構成とすることができる（請求項１４）。
【発明の効果】
【００２７】
請求項１の発明は、前腹部と後背部とに跨る左右の腰脇部分以外の部分で前腹部と後背部とを接合するタイプのおむつカバーに適用するものである。例えば、前腹部を股部とほぼ同幅にするとともに、後背部の両側を広幅にして、この広幅の両側部を前腹部側に廻し込んで接合することにより、前腹部と後背部とに跨る左右の腰脇部分に接合部分を無くすることができる。
【００２８】
そして、この接合部分の無い左右の腰脇部分に、腰脇用吸収体をそれぞれ固定配置することにより、着用者の腰脇部分全体を広範囲で腰脇用吸収体でカバーできるから、特許文献１と対比して、前腹部または後背部の左右のサイドフラップに補助吸収具を面ファスナーで着脱自在に固定するのでは無いので、寝返り等の動作により外れないため漏れを確実に防止できる。特許文献２と対比して、腰脇用吸収体は、着用者の左右の両方をカバーできるので、例えば左側が下向きとなっている状態から、右側が下向きとなるように着用者が寝返ったような場合でも、腰脇部分からの横漏れを広範囲で確実に防止できるようになる。
【００２９】
また、おむつカバーとして、腰脇用吸収体を固定配置したから、特許文献１と対比して、展開状態の使い捨ておむつカバーの前腹部または後背部の左右のサイドフラップに別体の補助吸収具をそれぞれ正規の位置に固定する必要がない。特許文献２と対比して、中央縦割りの半パンツ状物である使い捨て補助吸収具を着用した上に使い捨ておむつカバーを重ねて着用する必要がないことから、着用者や介護者にとって固定作業や着用作業に手間がかからなくなる。
【００３０】
さらに、パンツ型のおむつカバーとして、腰脇用吸収体を固定配置したから、特許文献１と対比して、ファスニングテープ等で使い捨ておむつを組み立てて着用する必要が無い。特許文献２と対比して、補助吸収具と使い捨ておむつカバーを２重に着用する必要が無いことから、着用時の快適性が向上するようになる。
【００３１】
さらにまた、別体の股用吸収体を交換可能に保持する保持部材を股部に配置したから、腰脇用吸収体が清潔な状態であれば、保持部材で保持した股用吸収体を交換すれば、使い捨ておむつカバーを繰り返し使用できるので経済的になる。
【００３２】
請求項２の発明は、前腹部と後背部の左半分と右半分とを、前端同士と後端同士とを接合するタイプのパンツ形状（例えば特許文献３）に適用するものである。かかるタイプのパンツ形状でも、請求項１の発明と同様に、従来の補助吸収具のような固定作業が無くて着用作業にも手間がかからず、着用時の快適性が向上して、横向きに寝た状態での腰脇部分からの横漏れを広範囲で確実に防止できるという効果を奏することができる。
【００３３】
請求項３のように、股部の左右位置に設けられた立ち上がりフラップで保持部材を構成すると、股用吸収体を保持するための立ち上がりフラップを、使い捨ておむつカバーやパンツ用として備えられている既存の装置を用いてコスト安に設けることができるとともに、別体の股用吸収体の交換が簡単かつ迅速に行えるようになる。
【００３４】
請求項４のように、ウエスト用弾性糸とボディフィット用弾性糸とレッグ用弾性糸を添設すると、使い捨ておむつカバー全体が着用者の身体にフィットして、着用時の快適性がより向上するようになる。
【００３５】
請求項５のように、腰脇用吸収体を配置した部位のボディフィット用弾性糸の収縮力を小さく設定すると、ボディフィット用弾性糸の収縮に伴う腰脇用吸収体の撚れを防止できるから、着用者の腰脇に対する腰脇用吸収体の密着性が向上して、腰脇部分からの横漏れをより確実に防止できるようになる。
【００３６】
請求項６のように、腰脇用吸収体の前後部を左右の脚穴部に沿うよう略Ｃ字形状に形成すると、脚穴部周りからの横漏れをより確実に防止できるようになる。
【００３７】
請求項７のように、立ち上がりフラップを脚穴部に沿う円弧状に形成すると、レッグ用弾性糸の収縮力によってフラップ全体が均等に立ち上がりやすくなるから、立ち上がりフラップが着用者の脚回りに密着しやすくなって、脚穴部周りからの横漏れをより確実に防止できるようになる。また、左右の立ち上がりフラップの間が広くなるから、別体の股用吸収体の交換がより簡単かつ迅速に行えるようになる。
【００３８】
請求項８のように、立ち上がりフラップが左右の前腹部の前端と後背部の後端に亘っていると、立ち上がりフラップを断続的に設けるよりも製造が容易になる。また、前腹部と後背部の左半分と右半分とを、前端同士と後端同士とを接合するタイプのパンツ形状（請求項２）では、使い捨ておむつカバーを組み立てた際に、前端と後端の接合部分と一緒に立ち上がりフラップの前端同士と後端同士が閉じるようになるので、立ち上がりフラップの前後端からの漏れも確実に防止できるようになる。
【００３９】
請求項９のように、股部に前後方向の股用弾性糸を添設すると、股用弾性糸が別体の股用吸収体を持ち上げて着用者の股部に密着させるようになるから、排泄物が吸収されやすくなって、股漏れを確実に防止できるようになる。
【００４０】
請求項１０のように、股用弾性糸の前後端を前腹部の前端と後背部の後端に亘って添設すると、股用弾性糸の前後端が別体の股用吸収体の前後部を着用者の前腹部と後背部に押し付けて密着させるようになるから、股用吸収体の前後部からの漏れを確実に防止できるようになる。
【００４１】
請求項１１のように、脚穴部を前後方向の楕円形状抜き穴に形成して、この脚穴部の周囲にほぼ沿ってレッグ用弾性糸を添設すると、脚穴が大きいので着用者の脚の出し入れがスムーズになるとともに、レッグ用弾性糸の収縮力によって、脚穴部周りからの横漏れをより確実に防止できるようになる。
【００４２】
請求項１２のように、脚穴部を前後方向のスリットに形成し、このスリットの左右にほぼ沿って、前腹部の前端と後背部の後端に亘ってレッグ用弾性糸を添設すると、脚穴部のくり抜きが不要でコスト安になるとともに、レッグ用弾性糸の収縮力によって、脚穴部周りからの横漏れをより確実に防止できるようになる。また、レッグ用弾性糸は、前腹部と後背部のボディフィット用弾性糸の下側と、保持部材（立ち上がりフラップ）で保持された股用吸収体の前後端部との間の部分にも位置するようになるので、この部分のレッグ用弾性糸の収縮力によって、股用吸収体の前後端部からの漏れをより確実に防止できるようになる。さらに、レッグ用弾性糸は、前腹部の前端と後背部の後端に亘って連続的に添設されているので、レッグ用弾性糸の添設が容易になる。
【００４３】
請求項１３のように、外面側シートと肌面側シートとを接着して股部と前腹部と後背部とを構成して、腰脇用吸収体を外面側シートと肌面側シートとの間に挟着固定すると、腰脇用吸収体を製造段階で正規の位置に固定することができる。
【００４４】
請求項１４のように、外面側シートと肌面側シートとを接着して股部と前腹部と後背部とを構成して、腰脇用吸収体を肌面側シートの上に接着固定すると、腰脇用吸収体を製造段階で正規の位置に固定できるとともに、必要に応じて後付けも可能になる。なお、交換可能に固定することも可能である。
【発明を実施するための最良の形態】
【００４５】
以下、本発明の実施の形態を図面を参照して詳細に説明する。
【００４６】
図１および図２は、第１実施形態の使い捨ておむつカバー１Ａであり、図１は展開状態の平面図、図２は組み立て状態の斜視図である。
【００４７】
図１９の分解斜視図、図２１（ａ）のＸ−Ｘ線断面図、図２２（ａ）のＹ−Ｙ線断面図を参照すると、使い捨ておむつカバー１Ａは、外面側シート２と肌面側シート３とを備え、両シート２，３は、２枚重ねでホットメルト接着剤、熱接着、超音波接着等により接着固定されて、おむつカバー本体４を構成するようになる。
【００４８】
上記外面側シート２は、後述する腰脇用吸収体１１で吸収した排泄物が外側にしみ出すのを防ぐために、撥水性若しくは不透液性のシート材料が好ましい。より好ましくは、通常使い捨ておむつカバーに用いられる撥水性不織布材料（スパンボンド不織布、メルトブロー不織布、ＳＭＳ不織布等）、通気性若しくは非通気性のプラスチックフィルム、これらの複合材料等が好適に用いられる。
【００４９】
上記肌面側シート３は、着用者からの排泄物を素早く捕捉し、後述する脇用吸収体１１に移行させる必要があるため、透液性のシート材料が好ましい。より好ましくは、通常使い捨ておむつカバーに用いられる親水性繊維（セルロース、レーヨン、コットン等）を用いた不織布材料、あるいは疎水性繊維（ポリプロピレン、ポリエチレン、ポリアミド、ナイロン等）の表面を界面活性剤により処理して透液性とした不織布材料、または開孔を有するプラスチックフィルム等が好適に用いられる。
【００５０】
このおむつカバー本体４は、図１および図１９の展開状態において、長さ方向Ｂの中央部分に股部Ｒが形成されるとともに、この股部Ｒの左右に、前腹部Ｐと後背部Ｑのそれぞれが左半分と右半分とで一体形成されている。また、この各半分の前腹部Ｐと後背部Ｑとに跨って、幅方向Ａ（着用時には前後方向）の略楕円形状抜き穴である脚穴部Ｓがそれぞれ形成されている。
【００５１】
そして、左右の前腹部Ｐの前端４ａ同士と左右の後背部Ｑの後端４ｂ同士とを、それぞれ外方に折り曲げて〔図２０（ａ）参照〕ヒートシール等で接合することにより、図２のパンツ型の組み立て状態に組み立てられて、前腹部Ｐと後背部Ｑの上端部分に胴回り開口部Ｔが形成されるようになる。
【００５２】
このように、左右の前腹部Ｐの前端４ａ同士と左右の後背部Ｑの後端４ｂ同士とを接合することにより、前腹部Ｐと後背部Ｑとに跨る左右の腰脇部分Ｕに接合部分を無くすることができる。
【００５３】
上記外面側シート２と肌面側シート３との間には、前腹部Ｐと後背部Ｑの上側に幅方向Ａに伸張状態で複数本のウエスト用弾性糸６が添設されるとともに、その下側に幅方向Ａに伸張状態で複数本のボディフィット用弾性糸７が添設されている。また、略楕円形状抜き穴に形成された脚穴部Ｓの周囲にほぼ沿って、円周方向に伸張状態で複数本のレッグ用弾性糸８が添設されている。このように、ウエスト用弾性糸６とボディフィット用弾性糸７とレッグ用弾性糸８を添設すると、使い捨ておむつカバー１Ａ全体が着用者の身体にフィットして、着用時の快適性がより向上するようになる。上記各弾性糸６〜８と後述するフラップ用弾性糸９は、ポリウレタン、ポリウレタンフィルム、天然ゴム等を用いるのが好ましい。
【００５４】
上記外面側シート２と肌面側シート３との間の前腹部Ｐと後背部Ｑとに跨る左右の腰脇部分には、腰脇用吸収体１１がそれぞれ固定配置されている。この腰脇用吸収体１１は、幅方向Ａに長い長方形状に形成されて、ボディフィット用弾性糸７に重なるようになる。上記腰脇用吸収体１１は、着用者の左右の腰脇部分に位置して、着用者が左右いずれの向きで横向きに寝たような場合でも、一方の腰脇用吸収体１１が着用者の下に位置するようになる。
【００５５】
上記腰脇用吸収体１１および後述する股用吸収体１０は、粉砕したパルプ繊維やセルロース繊維等の親水性繊維集合層に粒状の高分子吸収体を混合した吸収コアをティッシュペーパー等の紙シートあるいは透液性不織布シートで包んで所定形状に成形したものである。また、着用者が歩いたり、寝返りを打ったりしても形状を保持できるように、親水性繊維集合体やシートに形状保持手段（ホットメルト接着剤の塗布や合成繊維の混合）を施しても良い。さらに、上記繊維や高分子吸収体をシート状に成形したシート状吸収体（エアレイド不織布、ポリマーシート等）を所定形状に成形しても良い。
【００５６】
上記外面側シート２と肌面側シート３との間の股部Ｒの左右位置には、図２１（ａ）に示したように、立ち上がりフラップ（保持部材）１２がそれぞれ設けられている。この立ち上がりフラップ１２は、基端部１２ａが肌面側シート３にホットメルト接着剤等で接着されるとともに、上端部は内側に曲げられ、その下端は立ち上がりフラップ１２に接合されて立ち上がり封止部１２ｂが形成され〔図２０（ｂ）参照〕、この立ち上がり封止部１２ｂ内には、幅方向Ａに伸張状態で複数本のフラップ用弾性糸９が添設されている。この立ち上がりフラップ１２は、上記外面側シート２と同様のシート材料であるのが好ましい。なお、上記立ち上がりフラップ１２は、前後端部を内倒しで肌面側シート３に接着しているが、外倒しで肌面側シート３に接着しても良い。
【００５７】
図２１（ｂ）に示すように、透液性の表面シート１０ｃと不透液性の裏面シート１０ｄとの間に吸収コア１０ｅを挟着固定してなる別体の股用吸収体１０を設けて、この股用吸収体１０は、左右の立ち上がりフラップ１２の間に交換可能に保持されるように構成しても良い。
【００５８】
このような立ち上がりフラップ１２を設けると、股用吸収体１０からの横漏れをより確実に防止できるようになる。
【００５９】
上記股用吸収体１０は、例えば図２３および図２４に示すようなひょうたん型に形成することができる。
【００６０】
また、図２５（ａ）に示すように、股用吸収体１０の前部１０ａと後部１０ｂと中間部１０ｆの裏面シート１０ｄに、接着剤１５を適当な範囲で塗布して、剥離紙１６でカバーしておき、股用吸収体１０の使用時に剥離紙１６を剥がして、股用吸収体１０を接着剤１５により左右の立ち上がりフラップ１２の間の肌面側シート３に剥離可能に接着するようにしても良い。
【００６１】
上記剥離紙１６の代わりに、メカニカルファスナーのフック状雄係止部を接着して、股用吸収体１０をフック状雄係止部により左右の立ち上がりフラップ１２の間の肌面側シート３に剥離可能に係止するようにしても良い。この場合、肌面側シート３は、ループ状の雌係止部となる表面形状を有するような編布や合成繊維製不織布で構成すれば好適である。なお、後述する図２６（ｂ）の構成を採用する場合には、肌面側シート３に代えて、押えシート１４を、ループ状の雌係止部となる表面形状を有するような編布や合成繊維製不織布で構成することもできる。
【００６２】
ここで、メカニカルファスナーとは、フック状の雄係止部とループ状の雌係止部とが対をなして、両者を強く圧迫すると雄係止部と雌係止部とが相互に外れにくいように係止されるとともに、雄係止部と雌係止部とを手で強く引き剥がすと雄係止部と雌係止部との係止が外れるものをいい、面ファスナーとも呼ばれている。
【００６３】
上記股用吸収体１０の両側部には、上記立ち上がりフラップ１２と同様な立ち上がりフラップ１７を設けることが好ましい。
【００６４】
この立ち上がりフラップ１７は、基端部１７ａが表面シート１０ｃにホットメルト接着剤等で接着されるとともに、上端部は内側に曲げられ、その下端は立ち上がりフラップ１７に接合されて立ち上がり封止部１７ｂが形成され〔図２５（ａ）参照〕、この立ち上がり封止部１７ｂ内には、幅方向Ａに伸張状態で複数本のフラップ用弾性糸９が添設されている。この立ち上がりフラップ１７は、上記外面側シート２と同様のシート材料であるのが好ましい。
【００６５】
上記立ち上がりフラップ１７の前部１７ｄと後部１７ｅは、立ち上がらないように表面シート１０ｃに接着剤１８で接着する。
【００６６】
図２２（ａ）は、腰脇用吸収体１１を外面側シート２と肌面側シート３との間に挟着固定したものであって、このようにすれば、股用吸収体１０を製造段階で正規の位置に固定することができる。
【００６７】
また、図２２（ｂ）に示すように、腰脇用吸収体１１を別体として、肌面側シート３に接着固定することも可能である。この場合には、透液性の表面シート１１ｃと不透液性の裏面シート１１ｄとの間に吸収コア１１ｅを挟着固定する。このようにすれば、腰脇用吸収体１１は必要に応じて後付けも可能になるし、交換可能に固定することも可能である。
【００６８】
上記第１実施形態の使い捨ておむつカバー１Ａは、前腹部Ｐと後背部Ｑの左半分と右半分とを、前端４ａ同士と後端４ｂ同士とを接合するタイプのパンツ形状である。
【００６９】
そして、この接合部分の無い左右の腰脇部分Ｕに、腰脇用吸収体１１をそれぞれ固定配置したから、着用者の腰脇部分全体を腰脇用吸収体１１で広範囲にカバーできるとともに、腰脇用吸収体１１が寝返り動作により外れないので、腰脇部分Ｕからの横漏れを広範囲で確実に防止できる。また、腰脇用吸収体１１は、着用者の左右の両方をカバーできるので、例えば左側が下向きとなっている状態から、右側が下向きとなるように着用者が寝返ったような場合でも、腰脇部分Ｕからの横漏れを広範囲で確実に防止できるようになる。
【００７０】
また、パンツ型のおむつカバーとして、腰脇用吸収体１１を固定配置したから、着用者や介護者にとって固定作業や着用作業に手間がかからなくなるとともに、着用時の快適性が向上するようになる。
【００７１】
さらに、立ち上がりフラップ１２の間で別体の股用吸収体１０を交換可能に保持するようにしたから、腰脇用吸収体１１が清潔な状態であれば、立ち上がりフラップ１２で保持した股用吸収体１０を交換すれば、使い捨ておむつカバー１Ａを繰り返し使用できるので経済的になる。
【００７２】
また、立ち上がりフラップ１２は、使い捨ておむつカバーやパンツ用として備えられている既存の装置を用いてコスト安に設けることができるとともに、別体の股用吸収体１０の交換が簡単かつ迅速に行えるようになる。
【００７３】
さらにまた、脚穴部Ｓを略楕円形状抜き穴に形成して、この脚穴部Ｓの周囲にほぼ沿ってレッグ用弾性糸８を接着したから、脚穴が大きいので着用者の脚の出し入れがスムーズになるとともに、レッグ用弾性糸８の収縮力によって、脚穴部周りからの横漏れをより確実に防止できるようになる。
【００７４】
図３および図４は、第２実施形態の使い捨ておむつカバー１Ｂであり、図３は展開状態の平面図、図４は組み立て状態の斜視図である。
【００７５】
第１実施形態の使い捨ておむつカバー１Ａと相違する構成は、腰脇用吸収体１１を固定配置する腰脇部分Ｕのボディフィット用弾性糸７の収縮力を小さく設定したことである。この収縮力を小さく設定する方法としては、例えばヒートエンボスを用いてボディフィット用弾性糸７を溶融する方法やギャザーカッターを用いてボディフィット用弾性糸７をカットする方法がある。
【００７６】
このように構成すると、ボディフィット用弾性糸７の収縮に伴う腰脇用吸収体１１の撚れを防止できるから、着用者の腰脇に対する腰脇用吸収体１１の密着性が向上して、腰脇部分Ｕからの横漏れをより確実に防止できるようになる。
【００７７】
図５および図６は、第３実施形態の使い捨ておむつカバー１Ｃであり、図５は展開状態の平面図、図６は組み立て状態の斜視図である。
【００７８】
第１実施形態の使い捨ておむつカバー１Ａと相違する構成は、腰脇用吸収体１１の前部１１ａと後部１１ｂを左右の脚穴部Ｓに沿うよう略Ｃ字形状に形成したことである。
【００７９】
このように構成すると、脚穴部Ｓ周りからの横漏れをより確実に防止できるようになる。
【００８０】
図７および図８は、第４実施形態の使い捨ておむつカバー１Ｄであり、図７は展開状態の平面図、図８は組み立て状態の斜視図である。
【００８１】
第１実施形態の使い捨ておむつカバー１Ａと相違する構成は、立ち上がりフラップ１２を脚穴部Ｓに沿う円弧状に形成したことである。
【００８２】
このように構成すると、レッグ用弾性糸８の収縮力によってフラップ全体が均等に立ち上がりやすくなるから、立ち上がりフラップ１２が着用者の脚回りに密着しやすくなって、脚穴部Ｓ周りからの横漏れをより確実に防止できるようになる。また、左右の立ち上がりフラップ１２の間が広くなるから、別体の股用吸収体１０の交換がより簡単かつ迅速に行えるようになる。
【００８３】
図９および図１０は、第５実施形態の使い捨ておむつカバー１Ｅであり、図９は展開状態の平面図、図１０は組み立て状態の斜視図である。
【００８４】
第１実施形態の使い捨ておむつカバー１Ａと相違する構成は、立ち上がりフラップ１２を左右の前腹部Ｐの前端４ａと後背部Ｑの後端４ｂに亘って設けたことである。
【００８５】
このように構成すると、立ち上がりフラップ１２を断続的に設けるよりも製造が容易になる。また、前腹部Ｐと後背部Ｑの左半分と右半分とを、前端４ａ同士と後端４ｂ同士とを接合するタイプのパンツ形状では、使い捨ておむつカバー１Ｅを組み立てた際に、前端４ａと後端４ｂの接合部分と一緒に立ち上がりフラップ１２の前端１２ｄ同士と後端１２ｅ同士が閉じるようになるので、立ち上がりフラップ１２の前後端１２ｄ，１２ｅからの漏れも確実に防止できるようになる。
【００８６】
図１１および図１２は、第６実施形態の使い捨ておむつカバー１Ｆであり、図１１は展開状態の平面図、図１２は組み立て状態の斜視図である。
【００８７】
第１実施形態の使い捨ておむつカバー１Ａと相違する構成は、股部Ｒに前後方向Ａ（着用時には前後方向）に伸張状態で股用弾性糸５を添設したことである。
【００８８】
この股用弾性糸５は、図２６（ａ）に示すように、外面側シート２と肌面側シート３との間に添設することができるが、図２６（ｂ）に示すように、肌面側シート３と押えシート１４との間に添設したり、図２６（ｃ）に示すように、外面側シート２と押えシート１４との間に添設することができる。
【００８９】
このように構成すると、股用弾性糸５がその収縮力で別体の股用吸収体１０を持ち上げて着用者の股部に密着させるようになるから、排泄物が吸収されやすくなって、股漏れを確実に防止できるようになる。
【００９０】
図１３および図１４は、第７実施形態の使い捨ておむつカバー１Ｇであり、図１３は展開状態の平面図、図１４は組み立て状態の斜視図である。
【００９１】
第１実施形態の使い捨ておむつカバー１Ａと相違する構成は、股部Ｒに幅方向Ａ（着用時には前後方向）に伸張状態で、股用弾性糸５の前後端５ａ，５ｂを前腹部Ｐの前端４ａと後背部Ｑの後端４ｂとに亘って添設したことである。
【００９２】
このように構成すると、股用弾性糸５の前後端５ａ，５ｂが別体の股用吸収体１０の前後部１０ａ，１０ｂを着用者の前腹部Ｐと後背部Ｑに押し付けて密着させるようになるから、股用吸収体１０の前後部１０ａ，１０ｂからの漏れを確実に防止できるようになる。
【００９３】
図１５および図１６は、第８実施形態の使い捨ておむつカバー１Ｈであり、図１５は展開状態の平面図、図１６は組み立て状態の斜視図である。
【００９４】
第１実施形態の使い捨ておむつカバー１Ａと相違する構成は、脚穴部Ｓを前後方向のスリットに形成し、このスリット状脚穴部Ｓ´の左右にほぼ沿って、前腹部Ｐの前端４ａと後背部Ｑの後端４ｂに亘ってレッグ用弾性糸８を添設したことである。
【００９５】
このように構成すると、脚穴部Ｓ´のくり抜きが不要でコスト安になるとともに、レッグ用弾性糸８の収縮力によって、脚穴部Ｓ´周りからの横漏れをより確実に防止できるようになる。また、レッグ用弾性糸８は、前腹部Ｐと後背部Ｑのボディフィット用弾性糸７の下側と股用吸収体１０の前後部１０ａ，１０ｂとの間の部分にも位置するようになるので、この部分のレッグ用弾性糸８の収縮力によって、股用吸収体１０の前後部１０ａ，１０ｂからの漏れをより確実に防止できるようになる。さらに、レッグ用弾性糸８は、前腹部Ｐの前端４ａと後背部Ｑの後端４ｂに亘って連続的に添設されているので、レッグ用弾性糸８の添設が容易になる。
【００９６】
上記第１〜８実施形態の使い捨ておむつカバー１Ａ〜１Ｈは、前腹部Ｐと後背部Ｑの左半分と右半分とを、前端４ａ同士と後端４ｂ同士とを接合するタイプのパンツ形状であったが、前腹部Ｐと後背部Ｑとに跨る左右の腰脇部分Ｕ以外の部分で前腹部Ｐと後背部Ｑとを接合するタイプのパンツ形状にも適用することができる。
【００９７】
図１７および図１８は、第９実施形態の使い捨ておむつカバー１Ｉであり、図１７は展開状態の平面図、図１８は組み立て状態の斜視図である。
【００９８】
第９実施形態の使い捨ておむつカバー１Ｉは、前腹部Ｐを股部Ｒとほぼ同幅にするとともに、後背部Ｑの両側を広幅にして、この広幅の両側部４ｄを前腹部Ｐ側に廻し込んで、両側部４ｄの側縁４ｅと前腹部Ｐの側縁４ｆとを接合することにより、前腹部Ｐと後背部Ｑとに跨る左右の腰脇部分Ｕに接合部分を無くすることができる。
【００９９】
上記各実施形態の使い捨ておむつカバー１Ａ〜１Ｉの個々の特徴的な構成は、各実施形態毎に特有の構成では無く、個々の特徴的な構成を適宜に組み合わせて使用できることは勿論である。
【図面の簡単な説明】
【０１００】
【図１】第１実施形態の使い捨ておむつカバーの展開状態の平面図である。
【図２】図１の組み立て状態の斜視図である。
【図３】第２実施形態の使い捨ておむつカバーの展開状態の平面図である。
【図４】図３の組み立て状態の斜視図である。
【図５】第３実施形態の使い捨ておむつカバーの展開状態の平面図である。
【図６】図５の組み立て状態の斜視図である。
【図７】第４実施形態の使い捨ておむつカバーの展開状態の平面図である。
【図８】図７の組み立て状態の斜視図である。
【図９】第５実施形態の使い捨ておむつカバーの展開状態の平面図である。
【図１０】図９の組み立て状態の斜視図である。
【図１１】第６実施形態の使い捨ておむつカバーの展開状態の平面図である。
【図１２】図１１の組み立て状態の斜視図である。
【図１３】第７実施形態の使い捨ておむつカバーの展開状態の平面図である。
【図１４】図１３の組み立て状態の斜視図である。
【図１５】第８実施形態の使い捨ておむつカバーの展開状態の平面図である。
【図１６】図１５の組み立て状態の斜視図である。
【図１７】第９実施形態の使い捨ておむつカバーの展開状態の平面図である。
【図１８】図１７の組み立て状態の斜視図である。
【図１９】第１実施形態の使い捨ておむつカバーの分解斜視図である。
【図２０】（ａ）は前腹部と後背部の前後端の要部平面図、（ｂ）は立ち上がりフラップの要部側面図である。
【図２１】（ａ）は、図１のＸ−Ｘ線断面図、（ｂ）は、股用吸収体を保持した図１のＸ−Ｘ線断面図である。
【図２２】（ａ）は、図１のＹ−Ｙ線断面図、（ｂ）は、変形例の図１のＹ−Ｙ線断面図である。
【図２３】使い捨ておむつカバーと股用吸収体の斜視図である。
【図２４】股用吸収体の平面図である。
【図２５】（ａ）は図２４のＣ−Ｃ線断面図、（ｂ）が図２４のＤ−Ｄ線断面図である。
【図２６】（ａ）〜（ｃ）は、股用弾性糸の添設例を示す断面図である。
【符号の説明】
【０１０１】
１Ａ〜１Ｉ 使い捨ておむつカバー
２ 外面側シート
３ 肌面側シート
４ おむつカバー本体
４ａ 前端
４ｂ 後端
４ｃ 側端
５ 股用弾性糸
６ ウエスト用弾性糸
７ ボディフィット用弾性糸
８ レッグ用弾性糸
９ フラップ用弾性糸
１０ 股用吸収体
１１ 腰脇用吸収体
１２ おむつカバー本体の立ち上がりフラップ（保持部材）
１７ 股用吸収体の立ち上がりフラップ
Ｐ 前腹部
Ｑ 後背部
Ｒ 股部
Ｓ，Ｓ´ 脚穴部
Ｕ 腰脇部分
【図１】
2008086822.tif 000003
【図２】
2008086822.tif 000004
【図３】
2008086822.tif 000005
【図４】
2008086822.tif 000006
【図５】
2008086822.tif 000007
【図６】
2008086822.tif 000008
【図７】
2008086822.tif 000009
【図８】
2008086822.tif 000010
【図９】
2008086822.tif 000011
【図１０】
2008086822.tif 000012
【図１１】
2008086822.tif 000013
【図１２】
2008086822.tif 000014
【図１３】
2008086822.tif 000015
【図１４】
2008086822.tif 000016
【図１５】
2008086822.tif 000017
【図１６】
2008086822.tif 000018
【図１７】
2008086822.tif 000019
【図１８】
2008086822.tif 000020
【図１９】
2008086822.tif 000021
【図２０】
2008086822.tif 000022
【図２１】
2008086822.tif 000023
【図２２】
2008086822.tif 000024
【図２３】
2008086822.tif 000025
【図２４】
2008086822.tif 000026
【図２５】
2008086822.tif 000027
【図２６】
2008086822.tif 000028